(57)【特許請求の範囲】
【請求項１】
側面が四角形又は逆台形形状の棒材であって、短尺方向の一方の開口端面から他方の開口端面に抜ける通気路が多数縦横に連設された樹脂製の通気部材と、前記通気部材を覆って支持する金属製カバー材とで構成され、
前記カバー材は、１枚の金属板を折曲して形成された、前記通気部材の上面を被覆する上面支持面と、前記上面支持面の一端から垂直方向に延びる垂直閉塞面と、前記垂直閉塞面の下端から水平方向に延びて前記通気部材の下面を被覆する下面支持面と、前記下面支持面の一端から下方向に延びる垂直固定面とを備えて成り、
前記垂直閉塞面と前記通気部材の前記一方の開口端面との間に通気空間が確保され、前記下面支持面の前記通気空間に面する部分に通気開口が形成されて成る躯体換気部材。
【請求項２】
前記通気開口は、細長孔を連設したものである、請求項１に記載の躯体換気部材。
【請求項３】
前記細長孔は押し抜いて形成され、その押し抜き部分は内方に凹んだストッパーとなっている、請求項２に記載の躯体換気部材。
【請求項４】
前記通気部材は側面が逆台形形状であって、その前記垂直閉塞面に対向する前記一方の開口端面は傾斜開口面とされている、請求項１乃至３のいずれかに記載の躯体換気部材。
【発明の詳細な説明】
【技術分野】
【０００１】
本発明は、躯体換気部材に関するものであり、より詳細には、主に一般住宅のケラバ、軒、パラペット、ベランダの手摺り、その他種々の箇所に設置可能な躯体換気部材に関するものである。
【背景技術】
【０００２】
夏場において住宅は、日射を受けてその外装材や屋根材がかなり高温となり、小屋裏の温度は、しばしば６５度を超える。従って、特に夏場においては、室内の快適な温熱環境を維持して涼しさを確保するためには、室内だけでなく、小屋裏の換気を行う必要がある。この小屋裏換気の方法としては、棟換気又は軒換気が一般的であり、そのために種々の棟換気装置及び軒換気装置が提案され、実用化されている。
【０００３】
また、多くの場合、住宅の外壁に沿って通気層が形成される。この通気層は、壁内に進入した湿気を排出し、構造躯体を乾燥させて住宅の耐久性を高める役割、外壁から侵入した雨水の排出経路としての役割、並びに、夏季に、太陽照射により熱せられた外壁材からの伝導熱を防ぎ、更に室内の温熱環境を良好に保つ役割を果たす。通例、この壁体構造部に形成される通気層は小屋裏空間に連通状態にされていて、この通気層から流れ出る空気は、一旦小屋裏空間に解放された後、上記棟換気装置や軒換気装置を介して棟部又は軒部から排出される。
【０００４】
このように、一般の住宅の各所に通気層が設けられ、その外端部に、通気性を確保しつつ雨雪やごみの侵入を防止するための種々の形態の躯体換気部材（換気装置）が設置される。しかし、従来提案されている躯体換気部材（換気装置）はいずれも、設置箇所に適合するように構成されていて、種々の箇所に設置可能な構成とはなっていない。換言すれば、従来提案されている躯体換気部材（換気装置）は、汎用性に欠けるという難点がある。
【先行技術文献】
【特許文献】
【０００５】
【特許文献１】特許第３７９２５５３号公報
【特許文献２】特許第５６７９７８４号公報
【特許文献３】特許第５７８５８１５号公報
【発明の概要】
【発明が解決しようとする課題】
【０００６】
上述したように、従来提案されて実用化されている一般住宅用の躯体換気部材は、汎用性に欠けるものであった。そこで本発明は、一般住宅の種々の箇所に設置可能で経済的であり、十分な通気性と強度とを備えた躯体換気部材を提供することを課題とする。
【課題を解決するための手段】
【０００７】
上記課題を解決するための請求項１に記載の発明は、側面が四角形又は逆台形形状の棒材であって、短尺方向の一方の側の開口端面から他方の側の開口端面に抜ける通気路が多数縦横に連設された樹脂製の通気部材と、前記通気部材を覆って支持する金属製カバー材とで構成され、前記カバー材は、１枚の金属板を折曲して形成された、前記通気部材の上面を被覆する上面支持面と、前記上面支持面の一端から垂直方向に延びる垂直閉塞面と、前記垂直閉塞面の下端から水平方向に延びて前記通気部材の下面を被覆する下面支持面と、前記下面支持面の一端から下方向に延びる垂直固定面とを備えて成り、前記垂直閉塞面と前記通気部材の前記一方の側の開口端面との間に通気空間が確保され、前記下面支持面の前記通気空間に面する部分に通気開口が形成されて成る躯体換気部材である。
【０００８】
一実施形態においては、前記通気開口は、細長孔を連設して形成される。また、前記細長孔は押し抜いて形成され、その押し抜き部分は内方に凹んだストッパーとされている。
【０００９】
一実施形態においては、前記通気部材は側面が逆台形形状であって、前記垂直閉塞面に対向する前記一方の側の開口端面は傾斜開口面とされる。
【発明の効果】
【００１０】
本発明は上述したとおりであって、構成簡易で十分な通気性と強度とを備えていて、一般住宅の種々の箇所の通気層の端部に設置可能で汎用性を有するという効果がある。
【図面の簡単な説明】
【００１１】
【図１】本発明に係る躯体換気部材の構成を示す斜視図である。
【図２】本発明に係る躯体換気部材の構成を示す拡大斜視図である。
【図３】本発明に係る躯体換気部材のケラバへの納まり状態を示す側面図である。
【図４】本発明に係る躯体換気部材のケラバへの施工方法を示す斜視図である。
【図５】本発明に係る躯体換気部材の軒（水下）への納まり状態を示す側面図である。
【図６】本発明に係る躯体換気部材の軒（水上）への納まり状態を示す側面図である。
【発明を実施するための形態】
【００１２】
以下に、本発明を実施するための形態について、添付図面に依拠して説明する。本発明に係る躯体換気部材は、側面が四角形又は逆台形形状の棒状体であって、短尺方向の一方の側の開口端面２から他方の側の開口端面３に抜ける通気路４が多数縦横に連設された樹脂製の通気部材１と、通気部材１を挟持して保護する金属製カバー材１１とで構成される。
【００１３】
通気部材１は、一端から他端に抜ける通気路４を多数並設したプラスチックプレートを所定数重ね、両端をヒートカッターにより溶断する公知の方法で製造することができる。この方法によった場合は、切断に伴って上下の通気路４の切り口同士が溶着するため、上下のプラスチックプレート同士が一体化された積層体が形成される。好ましい実施形態においては、通気部材１として、中間に、メッシュ材、不織布等の通気性シート５を介在させたものを用いることとする。この通気性シート５は、雪、異物等が室内側に侵入することを防止する役目を果たす。
【００１４】
カバー材１１は、通例、１枚の金属板を折曲して形成される。即ち、カバー材１１は、図１,２に示されるように、通気部材１の上面を被覆する上面支持面１２と、上面支持面１２の一端から下方に直角に延設される垂直閉塞面１３と、垂直閉塞面１３の下端から水平方向に延設されて通気部材１の下面を受ける下面支持面１４と、下面支持面１４の一端から下方に延設される垂直固定面１５とから成る。図示した通気部材１は、側面が逆台形形状であって、垂直閉塞面１３に対面するその一端開口面２が傾斜開口面とされている。
【００１５】
垂直閉塞面１３と通気部材１の一方の側の開口端面２との間に十分に広い通気空間１６が確保され、下面支持面１４の通気空間１６に面する部分に通気開口が形成される。一実施形態においては、通気開口は、細長孔１７を連設して形成される。この細長孔１７は、押し抜いて形成することができるが、その際、その押し抜き部分を切除することなく残し、内方に凹むストッパー１８を設けるようにすることが好ましい。
【００１６】
垂直固定面１５は、本装置を壁体や下地材等に固定するために利用される面であり、必要に応じてその任意の位置に、留付孔が穿設される。
【００１７】
本発明に係る躯体換気部材は、家屋の種々の個所に設置可能なものである。図３は、本躯体換気部材をケラバに設置した場合の収まり図であり、図４はその場合の施工方法を示すものである。ケラバは、垂木２１上に野地板２２を打ち付け、その上に、アスファルトルーフィング２３を介して屋根材２４を施工し、野地板２２の先端部を水切り２５で被覆して構築される。
【００１８】
このケラバに本躯体換気部材を設置するに際しては、先ず、垂木２１から野地板２２の端部裏面にかけて透湿・防水シート２７を張着し（図４（Ａ））、その上部を、垂木２１に胴縁２８を複数打ち付けることによって固定する（図４（Ｂ））。次いで、本躯体換気部材を、その上面支持面１２上に透湿・防水シート２７の端部を展開させた状態で野地板２２の裏面にあてがい、垂直固定面１５を、胴縁２８を介して垂木２１に留め付けて固定する（図４（Ｃ））。そして最後に、胴縁２８に外壁材２９を打ち付け固定し、その上面と本躯体換気部材の下面支持面１４との間の隙間をシーリング材３０で充填する（図４（Ｄ））。
【００１９】
上記構成において、胴縁２８間に通気層３１が生成され、この通気層３１を上昇してくる空気は、その上端部から本躯体換気部材の通気部材１の開口端面３から各通気路４内に流入し（矢印Ａ）、通気路４を抜けて反対側の開口端面２から流出し、多数の細長孔１７から成る通気開口より大気に放出される（矢印Ｂ）。なお、状況により、風と共に雨雪や小さなごみ等が細長孔１７から侵入するおそれがあるが、その場合、ストッパー１８が邪魔板として機能するため、それらの侵入は極力抑止される。また、通気部材１が中間に通気性シート５を介在させたものである場合は、雨雪等の侵入は、より確実に防止される。
【００２０】
図５は、本躯体換気部材を軒（水下）に設置した場合の収まり図であり、図４に示すと同じ符号を付した部材は、図４に示すものと同じ構成であるので、説明を省略する。この場合の本躯体換気部材は、その上面支持面１２を野地板２２の下端に当接させた状態で、その垂直固定面１５を、胴縁２８を介して軒桁３２に留め付けて固定する。また、胴縁２８に外壁材２９を打ち付け固定した後、その上面と本躯体換気部材の下面支持面１４との間の隙間をシーリング材３０で充填することは、上記ケラバ施工の場合と同じである。そして、通気層３１を上昇する空気の流れも同様である。
【００２１】
図６は、本躯体換気部材を軒（水上）に設置した場合の収まり図であり、図４並びに図５に示すと同じ符号を付した部材は、それらと実質的に同じ構成であり、また、通気層３１を上昇する空気の流れも同様であるので、説明を省略する。なお、図６において符号３３は笠木、３４は棟包み、３５は鼻隠しを示している。
【００２２】
図示してないが、本躯体換気部材は上記用途のほか、パラペットやベランダの手摺りに用いることもできる。その場合は、その開口端面３をサイディングの内側に形成される通気層に対向させてサイディング上に設置する。
【００２３】
上記のとおり、本発明に係る躯体換気部材においては、樹脂製の通気部材１が金属製のカバー材１１で挟持された構成であるために十分な強度が得られ、また、通気部材１の開口端面３から多数の細長孔１７で形成される排気口に抜ける空気通路が形成されるために、雨雪やごみの侵入を抑えつつ十分な通気性を確保することができる。本発明に係る躯体換気部材は、一般住宅のケラバ、軒、パラペット、ベランダの手摺り、その他種々の箇所に設置可能で汎用性に富むため、産業上の利用可能性大なるものがある。
【符号の説明】
【００２４】
１        通気部材
２        一方の側の開口端面
３        他方の側の開口端面
４        通気路
５        通気性シート
１１      カバー材
１２      上面支持面
１３      垂直閉塞面
１４      下面支持面
１５      垂直固定面
１６      通気空間
１７      細長孔
１８      ストッパー
２１      垂木
２２      野地板
２３      アスファルトルーフィング
２４      屋根材
２５      水切り
２７      透湿・防水シート
２８      胴縁
２９      外壁材
３０      シーリング材
３１      通気層
３２      軒桁
３３      笠木
３４      棟包み
３５      鼻隠し
【図１】
0006655957.tif 000002
【図２】
0006655957.tif 000003
【図３】
0006655957.tif 000004
【図４】
0006655957.tif 000005
【図５】
0006655957.tif 000006
【図６】
0006655957.tif 000007